(57)【要約】【課題】漏洩同軸ケーブルにおいて外部導体に空けるスロットを安価で安定して成形する。【解決手段】漏洩同軸ケーブル１は、内部導体３と、この内部導体３の外周に設けた絶縁体５と、この絶縁体５の外周に設けた外部導体７と、この外部導体７の外周に設けた外被９と、を備えている。前記外部導体７は、前記絶縁体５の外周に互いに逆方向に同じピッチ間隔で巻き付けた２つの第１外部導体１１、１３と、この２つの第１外部導体１１、１３の外周に前記第１外部導体１１、１３のピッチ間隔内に複数のスロット１７を形成すべく間隔を空けて巻き付けた第２外部導体１５と、で構成されている。【選択図】図１
2010103685.tif 000002
【特許請求の範囲】
【請求項１】
内部導体と、この内部導体の外周に設けた絶縁体と、この絶縁体の外周に設けた外部導体と、この外部導体の外周に設けた外被と、を備えた長尺の漏洩同軸ケーブルにおいて、
前記外部導体は、前記絶縁体の外周に互いに逆方向に同じピッチ間隔で巻き付けた２つの第１外部導体と、この２つの第１外部導体の外周に、前記第１外部導体のピッチ間隔内に複数のスロットを形成すべく間隔を空けて巻き付けた第２外部導体と、で構成されていることを特徴とする漏洩同軸ケーブル。
【請求項２】
前記第１外部導体は帯状又は線状の金属体であり、前記第２外部導体は帯状又は線状の金属体であることを特徴とする請求項１記載の漏洩同軸ケーブル。
【発明の詳細な説明】
【技術分野】
【０００１】
この発明は、無線通信を主体とした様々な分野に適用可能で、特に外部導体に空けるスロットを安価で安定して成形することを可能とする漏洩同軸ケーブルに関する。
【背景技術】
【０００２】
従来から、トンネルや高速道路などの電波の伝播しにくい場所で列車無線や高速自動車の自動車無線のような移動体との通信を確保するために、ケーブルの長手方向に電波を漏洩させる漏洩同軸ケーブル（「ＬＣＸ」と称する）が開発されている。
【０００３】
一般的に、従来の漏洩同軸ケーブルは円筒状に成形されており、その特性のコントロール容易性、特性安定性から、道路や線路に沿って布設されて用いられている。また、車両に設置したアンテナとの通信用アンテナとして使用される他に、近年では無線ＬＡＮ用アンテナとしても使用されている。
【０００４】
図７及び図８を参照するに、従来の漏洩同軸ケーブル１０１としては、内部導体１０３と、この内部導体１０３の外周に設けた絶縁体１０５と、この絶縁体１０５の外周に設けられてスロット１０７と称する孔を備えた外部導体１０９と、この外部導体１０９の外周に被覆した外被１１１と、から構成される長尺のケーブルである。
【０００５】
なお、上記の外部導体１０９としては、図９に示されているように、銅テープやアルミテープなどの金属テープ１０９Ａがその長手方向に対して右上がり（右斜め上方向）に長いスロット１０７Ａと右下がり（右斜め下方向）に長いスロット１０７Ｂが交互に、所謂ジグザグ状に、例えば打ち抜きにより孔空け加工されている。このスロット１０７Ａとスロット１０７Ｂからなる複数のスロット１０７を形成した金属テープ１０９Ａは、図１０及び図１１に示されているように、加工ライン方向に送り出されて、上下から凹凸加工ローラ１１３で押圧されることにより凹凸加工１１５が施される。さらに、この凹凸加工１１５を施した金属テープ１０９Ａは加工ライン方向（図１０及び図１１において右方向）に送り出されて円筒成形部１１７にて絶縁体１０５の外周に縦添えされるようにして円筒形状に成形される。
【０００６】
このとき、外部導体１０９は絶縁体１０５の外周に縦添えされるときに、重ね合わせ目１１９が形成される。
【０００７】
したがって、上記の漏洩同軸ケーブル１０１では、スロット１０７を通過する電磁波の電磁界が外部に漏洩電波として放射されることとなる。現在、数十ＭＨｚ〜２．５ＧＨｚ程度の周波数の特定周波数域（例えば、数十ＭＨｚ〜９００ＭＨｚ、９００ＭＨｚ〜２４００ＭＨｚなど）で使用されており、主にトンネル内や電車の線路沿いに布設されて使用されている。
【０００８】
上記の外部導体１０９にスロット１０７を設ける方法としては、例えば、特許文献１の漏洩同軸ケーブルでは、外部導体は、１枚の第１の導電性テープが隙間を開けて絶縁体の外周に縦添えされ、前記第１の導電性テープの外周に第２の導電性テープが隙間を開けて螺旋状に巻かれることにより、外部導体の片側にスロットが設けられる。
【０００９】
また、特許文献２の漏洩同軸ケーブルでは、ギャップを設けるように第１外部導体の金属線と第２外部導体の金属線を巻き方向を逆方向に変えて２層に巻くことで、スロットを形成している。
【特許文献１】特開平９−１９８９４１号公報
【特許文献２】特開２００３−１２３５５５号公報
【発明の開示】
【発明が解決しようとする課題】
【００１０】
ところで、従来の図７及び図８の漏洩同軸ケーブル１０１においては、１枚の金属テープ１０９Ａをケーブルの長手方向に縦添えするために、可撓性が悪いという問題点があった。また、ケーブル１０１に屈曲を与えると外部導体１０９のスロット１０７から亀裂を派生するという問題点があった。
【００１１】
また、特許文献１及び特許文献２の漏洩同軸ケーブルにおいては、ケーブル上に決まったスロット方向でしかスロットを配置できないので、ケーブルの長手方向の不要電界成分を抑制することができないという問題点があった。
【００１２】
さらに、スロットの長さが一定のものしか形成できないために、ケーブルの長手方向に同一のスロットを一様に配列するので、ケーブルの長手方向に安定した結合損失を得ることができないという問題点があった。
【００１３】
この発明は、漏洩同軸ケーブルにおいて外部導体に空けるスロットを安価で安定して成形することを目的とする。
【課題を解決するための手段】
【００１４】
上記の課題を解決するために、この発明の漏洩同軸ケーブルは、内部導体と、この内部導体の外周に設けた絶縁体と、この絶縁体の外周にスロットを設けた外部導体と、この外部導体の外周に設けた外被と、を備えた長尺の漏洩同軸ケーブルにおいて、
前記外部導体は、前記絶縁体の外周に互いに逆方向に同じピッチ間隔で巻き付けた２つの第１外部導体と、この２つの第１外部導体の外周に、前記第１外部導体のピッチ間隔内に複数のスロットを形成すべく間隔を空けて巻き付けた第２外部導体と、で構成されていることを特徴とするものである。
【００１５】
また、この発明の漏洩同軸ケーブルは、前記漏洩同軸ケーブルにおいて、前記第１外部導体は帯状又は線状の金属体であり、前記第２外部導体は帯状又は線状の金属体であることが好ましい。
【発明の効果】
【００１６】
以上のごとき課題を解決するための手段から理解されるように、この発明によれば、外部導体は、前記絶縁体の外周に互いに逆方向に同じピッチ間隔で巻き付けた２つの第１外部導体と、この２つの第１外部導体の外周に、前記第１外部導体のピッチ間隔内に複数のスロットを形成すべく間隔を空けて巻き付けた第２外部導体と、で構成していることから、下記の効果を奏する。
【００１７】
（１）複数の第１外部導体と第２外部導体とにより複数のスロットを形成するので、ケーブル自体の可撓性を向上させることができる。
【００１８】
（２）ケーブルに配置する複数のスロットは、ケーブルの長手方向に対して右上がりの複数のスロットと左上がりの複数のスロットが１／２ピッチ間隔で交互に変化するので、ケーブルの長手方向の不要電界成分を抑制することができる。
【００１９】
（３）右上がりの複数のスロットと左上がりの複数のスロットのそれぞれのスロット長さは、周期的に変化させることができるため、放射する電磁の強度を周期的に変動させることができ、ケーブルの長手方向における結合損失を安定させることができる。
【発明を実施するための最良の形態】
【００２０】
以下、この発明の実施の形態について図面を参照して説明する。
【００２１】
図１（Ａ）、（Ｂ）及び図２を参照するに、この実施の形態に係る漏洩同軸ケーブル１は、内部導体３と、この内部導体３の外周に設けた絶縁体５と、この絶縁体５の外周に設けた外部導体７と、この外部導体７の外周に被覆した外被９と、を備えた長尺のケーブルである。
【００２２】
さらに、上記の外部導体７は、前記絶縁体５の外周に互いに逆方向に同じピッチ間隔Ｐで巻き付けた２つの第１外部導体１１、１３と、この２つの第１外部導体１１、１３の外周に前記第１外部導体のピッチ間隔Ｐ（図２参照）内に複数のスロット１７を形成すべく間隔Ｓ（図３参照）を空けて巻き付けた第２外部導体１５と、で構成されている。
【００２３】
より詳しく説明すると、この実施の形態では、図２に示されているように、２つの第１外部導体１１、１３としての例えば２枚の金属テープが、絶縁体５の外周上に互いに逆方向に同じピッチ間隔Ｐで巻き付けられるので、絶縁体５の図２において紙面上の表側では２つの第１外部導体１１、１３がその長手方向に亘って同じピッチ間隔Ｐで交差することになり、絶縁体５の図２において紙面上の裏側では２つの第１外部導体１１、１３が前記表側の２つの交差位置の真ん中で交差し、その長手方向に亘って同じピッチ間隔Ｐで交差する。
【００２４】
したがって、２つの第１外部導体１１、１３の交差位置が絶縁体５の図２において紙面上の表側と裏側で１／２ピッチ間隔Ｐ（＝Ｐ／２）で交互に入れ替わることになる。その結果、２つの第１外部導体１１、１３から露出される絶縁体５の表面形状は、例えば絶縁体５の図２において紙面上の表側では、２つの第１外部導体１１、１３の交差部分で表面積が長手方向に向けて徐々に変化する構成となる。絶縁体５の図２において紙面上の裏側でも同様に表面積が長手方向に向けて徐々に変化する構成となる。
【００２５】
なお、上記の２つの第１外部導体１１、１３としては、２枚の金属テープに限定されず、例えば２本の金属線であっても良い。すなわち、２つの第１外部導体１１、１３は帯状又は線状の金属体である。
【００２６】
さらに、この実施の形態では、図３及び図４に示されているように、第２外部導体１５としての例えば１枚の金属テープが、２つの第１外部導体１１、１３の外周に、前記第１外部導体１１、１３のピッチ間隔Ｐ内に複数のスロット１７を形成するように間隔Ｓを空けてスパイラル状に巻き付けられる。
【００２７】
したがって、２つの第１外部導体１１、１３のピッチ間隔Ｐと第２外部導体１５の間隔Ｓによって、絶縁体５の図３において紙面上の表側ではその長手方向に対して右上がり（図３において右斜め上方向）に長いスロット１７Ａが形成される。一方、絶縁体５の図４において紙面上の裏側ではその長手方向に対して右下がり（図４において右斜め下方向）に長いスロット１７Ｂが形成される。すなわち、この実施の形態の漏洩同軸ケーブル１では複数のスロット１７Ａと複数のスロット１７Ｂからなる複数のスロット１７が形成される。
【００２８】
なお、図４では、２つの第１外部導体１１、１３と第２外部導体１５が図３に対応して紙面上の裏側であるので、この説明を分かり易くするために点線で示されている。
【００２９】
なお、上記の第２外部導体１５としては、金属テープに限定されず、例えば金属線であっても良い。すなわち、第２外部導体１５は帯状又は線状の金属体である。
【００３０】
なお、上記の内部導体３には、例えば軟銅線を用いることができ、その他に、錫めっきや銀めっきを施したものでも良く、銅合金を用いたものでも良く、単線、撚り線、パイプなど様々な材質や構造が適用可能である。
【００３１】
また、上記の絶縁体５には、例えばポリエチレンを用いることができ、その他に、架橋ポリエチレン、発泡ポリエチレン、ポリプロピレン、ＰＴＦＥやＰＦＡやＦＥＰなどのフッ素樹脂（いずれも発泡も含む）でも良い。
【００３２】
また、上記の外部導体７については、第１外部導体１１、１３及び第２外部導体１５のいずれも、良好な導体である金属テープ又は金属線は例えば軟銅テープ又は軟銅線を用いることができ、その他に、錫めっきや銀めっきを施したものでも良く、銅合金を用いたものでも良い。
【００３３】
また、上記の外被９には、例えばＰＶＣを用いることができ、その他に、多種の樹脂でも良い。
【００３４】
上記構成により、漏洩同軸ケーブル１には、２つの第１外部導体１１、１３のピッチ間隔Ｐと第２外部導体１５の間隔Ｓによって、ケーブルの長手方向に対して右上がり（右斜め上方向）の複数のスロット１７Ａと右下がり（右斜め下方向）の複数のスロット１７Ｂが成形されると共に、複数のスロット１７Ａと複数のスロット１７Ｂが１／２ピッチ間隔Ｐ（＝Ｐ／２）で入れ替わるように成形されることとなる。しかも、２つの第１外部導体１１、１３の交差する形状によって、複数のスロット１７Ａと複数のスロット１７Ｂのそれぞれの大きさも周期的に変化することとなる。その結果、複数のスロット１７から放射される電磁波の強度も周期的に変化させることができる。
【００３５】
換言すれば、漏洩同軸ケーブル１には、複数のスロット１７に右上がり部分（スロット１７Ａ）と右下がり部分（スロット１７Ｂ）を成形し、かつ、これらが１／２ピッチ間隔Ｐ（＝Ｐ／２）で入れ替わるように成形することができる。また、スロット１７の大きさも周期的に変化させることができるので、スロット１７から放射される電磁波の強度も周期的に変化させることができる。
【００３６】
また、２つの第１外部導体１１、１３のピッチ間隔Ｐと第２外部導体１５の間隔Ｓを変化させることにより、スロット１７Ａとスロット１７Ｂの大きさを容易に変化させることができる。その結果、スロット１７から放射される電磁波の強度も変化させることができる。
【００３７】
次に、上記の実施の形態の漏洩同軸ケーブル１の効果を調べるために、この実施の形態の構成に基づいた図１及び図２の実施例を作成し、さらに、この実施例と比較するために図６（Ａ）の従来の漏洩同軸ケーブル１２９を比較例として作成した。なお、この漏洩同軸ケーブル１２９のスロット１０７Ａとスロット１０７Ｂのスロット長さは、スロットピッチで周期的に変化させている。
【００３８】
上記の実施例と比較例におけるケーブルの長手方向における結合損失（ｄＢ）を測定したところ、実施例の漏洩同軸ケーブル１の長手方向における結合損失変化は、図５に示されているグラフのようになった。一方、図６（Ａ）の比較例の漏洩同軸ケーブル１２９の長手方向における結合損失変化は、図６（Ｂ）に示されているグラフのようになった。
【００３９】
図５及び図６（Ｂ）の各グラフから分かるように、実施例はケーブルの長手方向の結合損失が比較例と同様に安定している。
【００４０】
以上のことから、この発明の実施の形態の漏洩同軸ケーブル１においては下記に示す効果を奏する。
【００４１】
（１）複数の第１外部導体１１、１３と第２外部導体１５により複数のスロット１７を形成しているので、ケーブル自体の可撓性を向上させることができる。
【００４２】
（２）ケーブルに配置する複数のスロット１７は、ケーブルの長手方向に対して右上がりの複数のスロット１７Ａと左上がりの複数のスロット１７Ｂが１／２ピッチ間隔Ｐ（＝Ｐ／２）で交互に変化するので、ケーブルの長手方向の不要電界成分を抑制することができる。
【００４３】
（３）右上がりの複数のスロット１７Ａと左上がりの複数のスロット１７Ｂのそれぞれのスロット長さは、周期的に変化させることができるため、放射する電磁波の強度を周期的に変動させることができ、ケーブルの長手方向における結合損失を安定させることができる。
【図面の簡単な説明】
【００４４】
【図１】（Ａ）はこの発明の実施の形態の漏洩同軸ケーブルの一部破断面を含む縦断面図で、（Ｂ）は（Ａ）の横断面図である。
【図２】絶縁体の外周に２つの第１外部導体を巻いた状態を示す正面図である。
【図３】図２の外周に第２外部導体を巻いた状態を示す正面図である。
【図４】図３の裏面を正面側から透視的に視た状態を示す説明図である。
【図５】実施例の漏洩同軸ケーブルの長手方向における結合損失を示すグラフである。
【図６】（Ａ）は比較例の漏洩同軸ケーブルの概略説明図で、（Ｂ）は（Ａ）のケーブルの長手方向における結合損失を示すグラフである。
【図７】従来の漏洩同軸ケーブルの一部破断面を含む縦断面図である。
【図８】図７の横断面図である。
【図９】従来の漏洩同軸ケーブルの外部導体の加工前の平面図である。
【図１０】従来の漏洩同軸ケーブルにおいて外部導体を絶縁体の外周に設ける製造状態を示す正面図である。
【図１１】図１０を上から視た平面図である。
【符号の説明】
【００４５】
１  漏洩同軸ケーブル
３  内部導体
５  絶縁体
７  外部導体
９  外被
１１  第１外部導体
１３  第１外部導体
１５  第２外部導体
１７  スロット
Ｐ  ピッチ間隔
Ｓ  間隔
【図１】
2010103685.tif 000003
【図２】
2010103685.tif 000004
【図３】
2010103685.tif 000005
【図４】
2010103685.tif 000006
【図５】
2010103685.tif 000007
【図６】
2010103685.tif 000008
【図７】
2010103685.tif 000009
【図８】
2010103685.tif 000010
【図９】
2010103685.tif 000011
【図１０】
2010103685.tif 000012
【図１１】
2010103685.tif 000013